(57)【要約】      （修正有）【課題】送信デバイスを動作させて、受信デバイスと同期して通信するための方法を提供する。【解決手段】送信デバイスが、ルートインデックス値のセットからルートインデックス値を選択する１００２。選択されたルートインデックス値に基づいて周波数領域の定振幅零自己相関系列を生成する１００４。疑似雑音系列によって定振幅零自己相関系列を変調する１００６。直交周波数分割多重シンボルを生成するときに、疑似雑音系列によって変調された周波数領域の定振幅零自己相関系列が、直交周波数分割多重シンボルのサブキャリア値を定義する１００８。受信デバイスに対するフレームのプリアンブルの初期直交周波数分割多重シンボルとして、直交周波数分割多重シンボルを送信する１０１０。【選択図】図１０
2019050609.tif 000002
【特許請求の範囲】
【請求項１】
送信デバイスを動作させて受信デバイスと通信するための方法であって、
前記送信デバイスが、ルートインデックス値のセットからルートインデックス値を選択するステップと、
前記送信デバイスが、前記選択されたルートインデックス値に基づいて周波数領域の定振幅零自己相関系列を生成するステップと、
前記送信デバイスが、疑似雑音系列によって前記定振幅零自己相関系列を変調するステップと、
前記送信デバイスが、直交周波数分割多重シンボルを生成するステップであって、前記疑似雑音系列によって変調された前記周波数領域の定振幅零自己相関系列が、前記直交周波数分割多重シンボルのサブキャリア値を定義する、ステップと、
前記送信デバイスが、前記受信デバイスに対するフレームのプリアンブルの初期直交周波数分割多重シンボルとして、前記直交周波数分割多重シンボルを送信するステップと
を含む方法。
【請求項２】
前記初期直交周波数分割多重シンボルが、初期同期を提供するように構成されたフレーム制御シンボルを含む、請求項１に記載の方法。
【請求項３】
前記定振幅零自己相関系列が、ザドフ−チュー（ＺＣ）系列である、請求項１に記載の方法。
【請求項４】
前記選択されたルート値が、サービスタイプのセットからの、前記フレームによって提供されるサービスタイプの選択を表示する、請求項１に記載の方法。
【請求項５】
前記送信デバイスが、前記疑似雑音系列によって変調された前記定振幅零自己相関系列にそれぞれのサイクリックシフトを適用することによって、前記プリアンブルの後続する直交周波数分割多重シンボルを生成するステップであって、前記サイクリックシフトがそれぞれ、それぞれのフレーム構成情報に基づいてサイクリックシフトのセットから選択され、前記それぞれのフレーム構成情報の解釈が、前記選択されたルート値に少なくとも部分的に関連付けられている、ステップと、
前記送信デバイスが、前記フレームの前記プリアンブルの前記後続する直交周波数分割多重シンボルを送信するステップと
をさらに含む、請求項１に記載の方法。
【請求項６】
前記フレームの前記プリアンブルの前記後続する直交周波数分割多重シンボルが、前記フレームのコンテンツを表すように構成されたコンテンツ制御シンボルを含む、請求項５に記載の方法。
【請求項７】
前記送信デバイスが、前記後続する直交周波数分割多重シンボルを送信する前に、前記後続する直交周波数分割多重シンボルのうちの少なくとも１つに位相反転動作を適用するステップをさらに含む、請求項５に記載の方法。
【請求項８】
前記初期直交周波数分割多重シンボルの後の前記直交周波数分割多重シンボルのうちの所与の１つに対応するフレーム構成情報の部分が、前記所与の直交周波数分割多重シンボルの後の次の直交周波数分割多重シンボルに対応するフレーム構成情報の部分の解釈を決定する、請求項５に記載の方法。
【請求項９】
受信デバイスを動作させて送信デバイスと通信するための方法であって、
前記受信デバイスが、送信機によって送信された信号のサンプルのセットを受信するステップと、
前記受信デバイスが、疑似雑音系列によって変調された複数の定振幅零自己相関系列のそれぞれに対して前記サンプルセットを相関させて、前記送信された信号のフレームのプリアンブルの初期直交周波数分割多重シンボルを検出するステップであって、前記定振幅零自己相関系列が別個のルートインデックス値にそれぞれ対応し、および前記疑似雑音系列が疑似雑音シード値に基づいている、ステップと、
前記受信デバイスが、前記プリアンブルの後続する直交周波数分割多重シンボルに対応するシンボルデータセットの取得を同期させるステップであって、前記取得の同期が、前記複数の定振幅零自己相関系列の中で最大の相関応答を与える特定の定振幅零自己相関系列に関連付けられた相関ピークに基づいている、ステップと
を含む方法。
【請求項１０】
前記定振幅零自己相関系列が、ザドフ−チュー系列である、請求項９に記載の方法。
【請求項１１】
前記特定の定振幅零自己相関系列に対応する前記ルートインデックス値が、前記ルートインデックス値にそれぞれ対応する複数のサービスタイプからの、前記フレームに対するサービスタイプの選択を示す、請求項９に記載の方法。
【請求項１２】
前記受信デバイスが、前記シンボルデータセットのそれぞれについて、前記特定の定振幅零自己相関系列に対して対応するサイクリックシフトを決定するステップであって、前記サイクリックシフトがそれぞれ、対応するフレーム構成情報を示し、前記対応するフレーム構成情報の解釈が、前記複数の定振幅零自己相関系列の中で前記最大の相関応答を与える前記特定の定振幅零自己相関系列に少なくとも部分的に依存する、ステップをさらに含む、請求項９に記載の方法。
【請求項１３】
前記受信デバイスが、前記フレームの前記プリアンブルの前記初期直交周波数分割多重シンボルの後の直交周波数分割多重シンボルにそれぞれ対応するシンボルデータセットを受信するステップと、
前記受信デバイスが、前記シンボルデータセットのそれぞれと、疑似雑音系列によって変調された共通の定振幅零自己相関系列との相関を実行するステップであって、それぞれのシンボルデータセットと、前記共通の定振幅零自己相関系列との前記相関が、許容可能なサイクリックシフトの共通のセットから対応するサイクリックシフトを識別する、ステップと、
前記受信デバイスが、前記直交周波数分割多重シンボルのそれぞれについて、前記対応する識別されたサイクリックシフトに基づいて、フレーム制御情報の対応する部分を決定するステップと
をさらに含む、請求項９に記載の方法。
【請求項１４】
シンボルデータセットが、前記シンボルデータセットにおける位相反転の検出に基づいて、前記プリアンブルの最終の直交周波数分割多重シンボルに対応することを前記受信デバイスが決定するステップをさらに含む、請求項１３に記載の方法。
【請求項１５】
前記初期直交周波数分割多重シンボルの後の前記直交周波数分割多重シンボルのうちの所与の１つに対応するフレーム構成情報の部分が、前記所与の直交周波数分割多重シンボルの後の次の直交周波数分割多重シンボルに対応するフレーム構成情報の部分の解釈を決定する、請求項１３に記載の方法。
【請求項１６】
送信デバイスと受信デバイスとの間で通信するための方法であって、
送信デバイスがフレームのプリアンブルに対して直交周波数分割多重シンボルの系列を生成するステップであって、前記系列の初期直交周波数分割多重シンボルを生成することであって、疑似雑音系列の初期部分によって変調された定振幅零自己相関系列に基づいて、前記初期直交周波数分割多重シンボルのサブキャリア値が決定される、生成することと、
前記疑似雑音系列の対応する非初期部分によって変調された前記定振幅零自己相関系列に基づいて、前記直交周波数分割多重シンボルのサブキャリア値を決定し、
前記直交周波数分割多重シンボルの前記サブキャリア値に対応するサイクリックシフトを適用し、および
前記サブキャリア値を逆変換して、前記直交周波数分割多重シンボルの時間領域サンプルを得る
ことにより、前記初期直交周波数分割多重シンボルの後に複数の直交周波数分割多重シンボルを生成することとを含む、ステップと、
前記送信デバイスが、直交周波数分割多重シンボルの前記系列を送信するステップと
を含む方法。
【請求項１７】
前記受信デバイスが、前記送信デバイスによって送信された前記系列の前記初期直交周波数分割多重シンボルを受信するステップと、
複数の変調系列に対するシンボルデータストリームの相関を実行するステップであって、前記変調系列がそれぞれ、ルートインデックス値のセットからの定振幅零自己相関ルートインデックスおよび疑似雑音シードのセットからの疑似雑音シードで構成される対応するペアに基づいており、前記ペアに対応する前記変調系列が、疑似雑音シード値に基づいて、疑似雑音系列の初期部分によって変調された前記ルートインデックスに対応する定振幅零自己相関系列から生成される、ステップと、
最大の相関応答を与える前記ペアに対応する相関ラグに基づいて、前記フレームの初期直交周波数分割多重シンボルの時間位置を決定するステップと
をさらに含む、請求項１６に記載の方法。
【請求項１８】
前記シードに基づいた前記疑似雑音系列が、線形フィードバックシフトレジスタによって生成される、請求項１７に記載の方法。
【請求項１９】
前記受信デバイスが、前記送信デバイスによって送信された前記初期直交周波数分割多重シンボルの後に、前記直交周波数分割多重シンボルにそれぞれ対応するシンボルデータセットを受信するステップと、
前記受信デバイスが、前記シンボルデータセットのそれぞれについて、
特定の疑似雑音系列の前記対応する非初期部分によって変調された共通の定振幅零自己相関系列に等しい対応するテンプレート系列に対して前記シンボルデータセットの相関を実行することであって、前記相関が、許容可能なサイクリックシフトの共通のセットから対応するサイクリックシフトを識別する、実行することと、
前記対応する識別されたサイクリックシフトに基づいて、フレーム制御情報の対応する部分を決定することと
を行うステップと
をさらに含む、請求項１６に記載の方法。
【請求項２０】
シンボルデータセットが、前記シンボルデータセットにおける位相反転の検出に基づいて、前記プリアンブルの最終の直交周波数分割多重シンボルに対応することを決定するステップをさらに含む、請求項１９に記載の方法。
【発明の詳細な説明】
【技術分野】
【０００１】
関連出願の相互参照
本出願は、２０１４年８月２５日に出願された米国特許出願第６２／０４１４７８号の優先権を主張し、その全体が参照により本明細書に組み入みこまれる。
【０００２】
開示の分野
本開示は、無線通信の分野に関し、より詳細には、直交周波数分割多重（「ＯＦＤＭ」）物理的伝送フレームプリアンブルを動的に構築して、ブロードキャストネットワークにおける強固な信号検出およびサービス発見を可能にするための機構に関する。
【背景技術】
【０００３】
背景
今日の世界では、電子デバイスの多くは、接続している他のデバイスからデータを受信するために無線接続性に依存する。典型的な無線展開では、データを送信する１つまたは複数の無線アクセスポイントが存在し、無線アクセスポイントからデータを受信する１つまたは複数のデバイスが存在し得る。
【０００４】
このようなシナリオでは、デバイスによって伝播チャネル特性が異なることがあり、同一の無線アクセスポイントからの無線データの受信にも影響を及ぼし得る。例えば、無線アクセスポイントの近くにあるデバイスおよび／または固定位置を有する（もしくは低速で移動している）デバイスは、高速で移動しているデバイスおよび／または無線アクセスポイントから遠く離れているデバイスよりも伝播チャネルの状態が良好であり得る。第１のデバイスは、（高い前方向誤り訂正（ＦＥＣ）符号化率、高い変調レベル、および／または直交周波数分割多重（以下、「ＯＦＤＭ」と呼ぶ）方式における小さいサブキャリア間隔などの）パラメータの１つのセットを用いて符号化され、送信されたデータを受信することが可能なデバイスの群に分類することができる。一方、第２のデバイスは、（低いＦＥＣ符号化率、低い変調レベル、および／またはＯＦＤＭ方式における広いサブキャリア間隔などの）パラメータの第２のセットを用いてデータが符号化され、送信されることが必要なデバイスの群に分類することができる。
【０００５】
多数のデバイスがすべて共通のソースから同一のデータを受信することを望み得る多くのシナリオが存在する。このような１つの例としてはテレビジョン放送があり、テレビジョン放送では、様々な家庭にある多数のテレビジョン装置のすべてが、関心のある番組を伝達する共通のブロードキャスト信号を受信する。このようなシナリオでは、同じデータを各デバイスに個別にシグナリングするよりもむしろ、データをこのようなデバイスにブロードキャストするか、またはマルチキャストすることがはるかにより効率的である。しかしながら、（例えば、高解像度ビデオ、標準画質ビデオなどの）様々な品質レベルの番組を様々な伝播チャネル特性を有する様々なデバイス群に送信することが必要であり得る。他のシナリオでは、デバイス固有のデータを特定のデバイスに送信することが望ましいことがあり、こうしたデータを符号化および送信するために用いられるパラメータは、デバイスの所在地および／または伝播チャネルの状態に依存し得る。
【０００６】
上述のように、送信されたデータの異なるセットは、同時にまたは時間マルチプレックス式で（またはその両方で）、異なる符号化パラメータおよび送信パラメータを用いて送信することが必要であり得る。特定のデータセット中の送信されるべきデータの量、ならびに／またはこうしたデータセットに対する符号化パラメータおよび送信パラメータは時間とともに変動し得る。
【発明の概要】
【発明が解決しようとする課題】
【０００７】
同時に、高速無線データに対する需要が高まり続けており、（無線スペクトルの特定の部分などの）利用可能な無線リソースの最も効率的な使用を場合により時間変動ベースで可能にすることが望まれている。
【課題を解決するための手段】
【０００８】
概要
送信デバイスを動作させて受信デバイスと通信するための方法が本明細書に記載されている。本方法は、送信デバイスが、ルートインデックス値のセットからルートインデックス値を選択するステップを含む。本方法は、送信デバイスが、選択されたルートインデックス値に基づいて周波数領域の定振幅零自己相関系列を生成するステップをさらに含む。本方法は、送信デバイスが、疑似雑音系列によって定振幅零自己相関系列を変調するステップをさらに含む。本方法は、送信デバイスが、直交周波数分割多重シンボルを生成するステップであって、疑似雑音系列によって変調された周波数領域の定振幅零自己相関系列が、直交周波数分割多重シンボルのサブキャリア値を定義する、ステップをさらに含む。本方法は、送信デバイスが、受信デバイスに対するフレームのプリアンブルの初期直交周波数分割多重シンボルとして、直交周波数分割多重シンボルを送信するステップをさらに含む。
【０００９】
受信デバイスを動作させて送信デバイスと通信するための方法が本明細書に記載されている。本方法は、受信デバイスが、送信機によって送信された信号のサンプルのセットを受信するステップを含む。本方法は、受信デバイスが、疑似雑音系列によって変調された複数の定振幅零自己相関系列のそれぞれに対してサンプルセットを相関させて、送信された信号のフレームのプリアンブルの初期直交周波数分割多重シンボルを検出するステップであって、定振幅零自己相関系列が別個のルートインデックス値にそれぞれ対応し、および疑似雑音系列が疑似雑音シード値に基づいている、ステップをさらに含む。本方法は、受信デバイスが、プリアンブルの後続する直交周波数分割多重シンボルに対応するシンボルデータセットの取得を同期させるステップであって、取得の同期が、複数の定振幅零自己相関系列の中で最大の相関応答を与える特定の定振幅零自己相関系列に関連付けられた相関ピークに基づいている、ステップをさらに含む。
【００１０】
送信デバイスと受信デバイスとの間で通信するための方法が本明細書に記載されている。本方法は、送信デバイスがフレームのプリアンブルに対して直交周波数分割多重シンボルの系列を生成するステップであって、系列の初期直交周波数分割多重シンボルを生成することを含む、ステップを含む。疑似雑音系列の初期部分によって変調された定振幅零自己相関系列に基づいて、初期直交周波数分割多重シンボルのサブキャリア値が決定される。送信デバイスが直交周波数分割多重シンボルの系列を生成するステップは、初期直交周波数分割多重シンボルの後に複数の直交周波数分割多重シンボルを生成することをさらに含む。これは、疑似雑音系列の対応する非初期部分によって変調された定振幅零自己相関系列に基づいて、直交周波数分割多重シンボルのサブキャリア値を決定し、直交周波数分割多重シンボルのサブキャリア値に対応するサイクリックシフトを適用し、およびサブキャリア値を逆変換して、直交周波数分割多重シンボルの時間領域サンプルを得ることを含む。本方法は、送信デバイスが、直交周波数分割多重シンボルの系列を送信するステップをさらに含む。
【００１１】
図面の簡単な説明
添付の図面において、以下の詳細な説明とともに、特許請求される本発明の例示的な実施形態を説明する構造が図示されている。同じ要素は同じ参照番号で識別されている。単一の構成要素として示される要素は、複数の構成要素に置き換えられ得、また、複数の構成要素として示される要素は、単一の構成要素に置き換えられ得ることを理解されたい。各図面は縮尺通りではなく、特定の要素の比率は説明目的で誇張されている場合がある。
【図面の簡単な説明】
【００１２】
【図１】ブロードキャストネットワークの一例を図示する。
【図２】ブロードキャストフレームの一例を図示する。
【図３】ブロードキャストフレームの次元の一例を図示する。
【図４】フレーム制御チャネルの一例を発生させるためのシステムの一例である。
【図５Ａ】フレーム制御構成の例を図示する。
【図５Ｂ】フレーム制御構成の例を図示する。
【図６】ＰＮ系列発生部の一例を図示する。
【図７】フレーム制御サブキャリアマッピングの例を図示する。
【図８】フィールド終了シグナリングの例を図示する。
【図９】パーティションを含むフレームの一例を図示する。
【図１０】送信デバイスを動作させるための方法の一例である。
【図１１】受信デバイスを動作させるための方法の一例を図示する。
【発明を実施するための形態】
【００１３】
詳細な説明
本明細書で説明するのは、拡張可能なＰＨＹ層のシグナリングフレームワーク、および特に強固な検出およびサービス発見、システム同期、ならびにレシーバ構成を可能にする、関連するプリアンブル信号設計である。ＰＨＹは、同期／検出およびシステム構成を可能にする、あらゆる送信フレームに一体化された部分として送られるプリアンブルに依存している。後述するように、プリアンブル設計は、ブロードキャストレシーバにフレーム構成およびコンテンツ制御情報を伝えるフレキシブルなシグナリングアプローチを含む。信号設計は、物理媒体上で信号パラメータを変調する機構を表す。シグナリングプロトコルは、送信フレーム構成を決定するパラメータ選択を通信するのに用いられる特定の符号化を表す。これにより、共通のフレーム構造からの進化するシグナリングニーズに対処するための拡張性を提供しつつ、信頼性の高いサービス発見が可能になる。具体的には、プリアンブル設計は、チャネル帯域幅とは無関係に汎用的な信号の発見を可能にする。プリアンブルは、時間分散およびマルチパスフェージング、ドップラーシフト、ならびにキャリア周波数オフセットなどの様々なチャネル障害が存在する状態で信頼性の高い検出も可能にする。加えて、信号の発見の間、モード検出に基づいて複数のサービスコンテキストがアクセス可能であり、システム構成において幅広いフレキシブル性が可能になる。プリアンブルはさらに、拡張を容易にし、階層的シグナリング構造に基づき、進行中のサービス能力の進化に対処する。さらに、検出されたサービスモード／タイプに基づいて解釈された再使用可能なビットフィールドにより、与えられた拡張性のレベルにもかかわらず、ビット効率の高いシグナリングが可能になる。
【００１４】
図１は、本明細書に記載されたプリアンブル設計の例を用いる一例であるブロードキャストネットワーク１００を図示する。ブロードキャストネットワーク１００は、ベースステーションＢＳ１，ＢＳ２，．．．ＢＳＮによって例示的に示唆された複数のベースステーション１０１ａ，１０１ｂ．．．１０１ｎ（以下、ベースステーション１０１と呼ぶ）を含むことができる。ブロードキャストゲートウェイ（「ＢＧ」）１０２は、様々な通信媒体のいずれかを通してベースステーション１０１に結合することができる。例えば、１つの実施形態では、ブロードキャスゲートウェイ１０２は、インターネットを介して、またはさらに一般的にはコンピュータネットワークを介して、ベースステーション１０１に結合することができる。各ベースステーション１０１は、１つまたは複数のユーザデバイス１０３に情報を無線送信する（各ユーザデバイスＵＤは、黒色で塗り潰された丸で表されている）。ユーザデバイス１０３のうちのいくつかは、テレビジョンおよびデスクトップコンピュータなどの固定デバイスとすることができる。ユーザデバイス１０３のうちの他のいくつかは、タブレットコンピュータまたはラップトップコンピュータなどのノマディックデバイス（nomadic device）とすることができる。ユーザデバイス１０３のうちの他のいくつかは、携帯電話、車載デバイス、飛行機搭載デバイスなどといった移動体デバイスとすることができる。
【００１５】
ブロードキャストネットワーク１００のオペレータ（「Ｏｐ」）１０４は、（例えば、インターネットを介して）ブロードキャストゲートウェイ１０２にアクセスし、ゲートウエイ１０２にネットワーク構成または動作命令を提供することができる。例えば、オペレータ１０４は、以下：ベースステーションのうちの１つまたは複数に対するユーザデバイスの移動性の予測される分布、ベースステーションのうちの１つまたは複数のセルサイズ、ブロードキャストネットワークまたはネットワークのサブセットを単一周波数ネットワーク（ＳＦＮ）として動作させるか、または多周波数ネットワーク（ＭＦＮ）として動作させるかの選択、様々なサービス（例えば、テレビコンテンツストリーム）を様々なタイプのユーザデバイスにどのように割り当てるかの指定、および対応する期間中にブロードキャストネットワークが使用しない帯域幅の部分の識別のうちの１つまたは複数の項目などの情報を提供することができる。
【００１６】
ブロードキャストゲートウェイ１０２は、ネットワーク構成または動作命令に基づいて、ブロードキャストネットワーク１００の１つまたは複数のベースステーション１０１に対する伝送制御情報を決定することができる。所与のベースステーションに対して、ブロードキャストゲートウェイ１０２は、以下：伝送サンプルレート、パーティションの数、パーティションのサイズ、各パーティションのＦＦＴサイズおよびサイクリックプレフィックスサイズを決定することができる。ブロードキャストゲートウェイ１０２は、ベースステーション１０１に伝送制御情報を送ることで、ベースステーション１０１がこの伝送制御情報に従ってフレームを構築および送信できるようにし得る。他の実施形態では、ゲートウエイ１０２自体が、各ゲートウエイ１０２によって伝送されるフレームを生成し、このフレームをベースステーション１０１に送ることができる。さらに他の実施形態では、ゲートウエイ１０２は、ベースステーション１０１に対するフレームの構築についての低レベル命令（例えば、物理層命令）を生成し、それらの命令をベースステーション１０１に送ることで、それらの命令に基づいて容易にフレームを生成することができる。
【００１７】
フレーム構造
図２は、一例であるブロードキャストフレーム２００を図示する。フレーム２００は、周囲の無線通信伝送との連携を容易にする基礎となるフレーム構成とは無関係に、指定された持続時間を占める。この例では、フレーム２００は、１秒の持続時間を有する。しかしながら、フレーム２００は、他の適切な持続時間を有してもよいことを認識されたい。一例では、フレームの長さは、動的に信号伝達することができる。ブロードキャストフレーム２００は、任意選択的な補助終了信号（ＡＴＳ）フィールド２０８が後続するプリアンブル領域２０４およびペイロード領域２０６に分割することができる。示されている例では、プリアンブル領域２０４およびＡＴＳ領域２０８は、フレーム２０２の開始および終了の網掛けした区分で表示されている。各領域の時間の相対的な長さ（横軸）およびシンボルの数は、この例示的な図では縮尺通りに示されていない。
【００１８】
プリアンブル２０４は、フレーム制御領域２１０（以下、「ＰＦＣＣＨ」と呼ぶ）およびコンテンツ制御領域２１２（以下、「ＰＣＣＣＨ」と呼ぶ）にさらに細分することができる。２つの領域の役割は、以下のように要約することができる。ＰＦＣＣＨ２１０は、フレーム構成を受信端子に信号伝達するために用いられる。ＰＦＣＣＨ２１０は、信号設計および基礎となるシグナリングプロトコルを表す。フレーム構成は、プリアンブルの長さ、フレームの長さ、信号帯域幅およびサンプリングレート、ＰＣＣＣＨ２１０に適用される変調および符号化、ならびにＡＴＳの存在のうちの１つまたは複数の組み合わせを含むことができる。ＰＦＣＣＨ２１０は、さらに初期同期を提供し、フレーム動作モードを確立する。ＰＦＣＣＨ２１０は、チャネル推定および初期キャリア周波数オフセット（ＣＦＯ）評価も可能にする。
【００１９】
ＰＣＣＣＨ２１２は、ペイロード構成をレシーバに信号伝達するために用いられる。特に、ＰＣＣＣＨ２１２は、パーティションの数、および各パーティションにおいて適用されるＦＦＴサイズおよびＣＰ持続時間など、信号の次元を含むペイロード領域のコンテンツを表す。ＰＣＣＣＨ２１２は、各パーティションに、変調、符号化スキームおよびインタリーバ深度を含むデータストリームのマッピングも信号伝達する。
【００２０】
特定のプリアンブルを検出することで、残りのプリアンブルシンボルが解釈されるコンテキストを設定する。例えば、ブロードバンドサービスによるスペクトルを用いれば、ブロードキャストプリアンブルにおいて信号伝達される別個のコンテキストに対して「プライベート（private）」としてマッピングすることになる。ブロードバンドのオペレータは、他のフィールドを定義することを選択して、ブロードキャストユーザに対して広告することができる。例えば、フィールドは、伝送がどの程度の長さの時間およびいずれの信号帯域幅を占めるかを定義することができる。ブロードキャストレシーバは、それ以外の場合には、それを受信するためにブロードキャストデバイスが装備されているサービスコンテキスト以外のものに属するとして現在のフレームを無視するように指示される。
【００２１】
様々なチャネル障害が存在する状態において信頼性の高い検出を行うために、特定のサービス要件が必要な場合があることを認識されたい。例えば、加法性白色ガウス雑音（「ＡＷＧＮ」）の検出漏れ（「ＭＤ」）および偽警報（「ＦＡ」）の確率およびマルチパスフェージングの確率を低くするために、最大ドップラーシフトおよび最大遅延拡散許容度を課す場合がある。一例では、３ｋＨｚのサブキャリア間隔を用いたＦＦＴであるとして、最大ドップラーシフトは、７００ＭＨｚで２８８ＭＰＨ（４６３ＫＰＨ）、または２１００ＭＨｚで９６ＭＰＨ（１５４ＫＰＨ）とすることができる。一例では、遅延拡散許容度は１６７μｓまたは３１ＭＩ（５０ＫＭ）とすることができる。同じ間隔でサブキャリアをスキップ（すなわちゼロを挿入）して信号帯域幅を維持することにより、検出の信頼性およびシグナリング能力を犠牲にして、所与のキャリア周波数に対してドップラー許容度を大きくし得ることを認識されたい。
【００２２】
ＰＦＣＣＨ
ＰＦＣＣＨ２１０は、ブロードキャストレシーバに対する汎用的なサービス入口点を提供する。ＰＦＣＣＨ２１０は、すべての受信デバイスに既知の固定の構成を用いる。特に、ＰＦＣＣＨ２１０の構成は、すべての受信デバイスに既知のサンプリングレート、信号帯域幅、サブキャリア間隔、およびガード区間を含むことができる。ＰＦＣＣＨ２１０は、各フレーム期間の開始時に配置された同期シンボルによって開始され、サービス発見、粗同期および初期チャネル推定を可能にする。ＰＣＣＣＨ２１２で用いられるシンボル構成を含むフレーム構造を決定するパラメータは、残りのＰＦＣＣＨ２１０のシンボル期間に信号伝達される。
【００２３】
レシーバの複雑性を最小限にするために、ＰＦＣＣＨ２１０を固定された周波数でサンプリングしてもよい。一例では、ＰＦＣＣＨは、６．１４４Ｍｓ／ｓでサンプリングしてもよい。信号を最小帯域幅に制限して、割り当てられたチャネル帯域幅とは無関係にあらゆるレシーバによる受信を可能にする。一例では、信号を最小４．５ＭＨｚの帯域幅に制限することができる。図３は、例示的なＰＦＣＣＨ２１０の次元３０２を示す。ＦＦＴの次元３０４を選択して、必要なサブキャリア間隔を確保する。サイクリックプレフィックス（ＣＰ）３０６を挿入して、プリアンブルシンボル間の適切な遅延拡散許容度を確保する。したがって、本例では、次式のように示される。
【数１】
2019050609.tif 000003
【００２４】
図４は、ＰＦＣＣＨ２１０を発生させるためのシステム４００として図示する。ＰＦＣＣＨ２１０は、系列発生部４１０により、周波数領域において疑似雑音（「ＰＮ」）系列４０４によってザドフ−チュー（「ＺＣ」）系列４０２が変調されて発生する。ＰＮ系列は、図５Ａに図示された、元のＺＣ系列の望ましい定振幅零自己相関波形（「ＣＡＺＡＣ」）特性を保持する個々の複素サブキャリアを位相回転させる。位相回転の追加は、図５Ｂに図示された、ＰＮ系列変調を加えないＺＣ系列を用いて観察されるスプリアスの自己相関応答を抑える、同一のルート系列のサイクリックシフト間の信号分離を大きくすることを意図するものである。
【００２５】
ＺＣは、理想的なサイクリック自己相関を特徴とする優れた検出特性を示すＣＡＺＡＣ系列を構成する。例えば、それ自体のサイクリックシフトされたバージョンとの相関はデルタ関数を返す。ＺＣ系列は、周波数領域の対応するラグを生成する時間領域におけるルート系列のルート、ｑ、およびサイクリックシフトによって定義される。
【数２】
2019050609.tif 000004
ここで、ＺＣのルートインデックス、ｑ∈｛１，．．．，Ｎｚｃ−１｝、ｎ＝０，１，．．．，Ｎｚｃ−１である。
【００２６】
ルート系列のサイクリックシフトは、上記の式（２）中のｎを、特定の値ｎ−ｍに置き換えることにより導き出すことができる。ここでｍは、意図される時間シフトを表す。ルート系列は、ｍ＝０に相当する。その結果生じる系列は、次のように計算される。
【数３】
2019050609.tif 000005
ここで、ｑ∈｛１，．．．，Ｎｚｃ−１｝、ｎ＝０，１，．．．，Ｎｚｃ−１、ｍは割り当てられたサイクリックシフトを表す。
【００２７】
ＰＮ系列は、系列ルートによっては観察されることがあるスプリアスのオフピーク応答を抑える役割を果たす。ＰＮ系列を追加することにより、ＰＦＣＣＨ２１０の後続するシンボルから同期検出するように意図された初期シンボルを区別する信頼性の高い手段を提供する。ＰＮ系列をそのまま進行させ、プリアンブルの冒頭においてリセットすることにより、同期検出シンボルの遅延レプリカと相関する可能性を排除する。それは、バーストノイズ、シャドーイングまたは深いチャネルフェーディングにより初期のプリアンブルシンボルが見落とされる場合に、誤検出の可能性も最小限にする。
【００２８】
図６は、一例である系列発生部４１０を図示する。ＰＮ系列発生部４１０は、線形フィードバックシフトレジスタ（ＬＦＳＲ）６０２から派生している。その動作は、ＬＦＳＲフィードバック経路でタップを指定する生成多項式６０４によって支配され、系列の出力６０８に寄与する要素を指定するマスク６０６がこの後に続く。生成多項式の特定化、レジスタのマスクおよび初期状態は、シードを代表するものである。例えば、シード＝ｆ（ｇ，ｍ，ｒｉｎｉｔ）である。
【００２９】
図４を再び参照すると、システム４００は、系列発生部４１０の出力を逆高速フーリエ変換（「ＩＦＦＴ」）４０８の入力にマッピングするためのサブキャリアマッピングモジュール４１２を含む。ＣＰモジュール４０６は、ＣＰをＩＦＦＴ４０８の出力に加えるように構成されている。
【００３０】
一例では、ＰＮ系列は、実信号成分および虚信号成分（すなわちＩ、Ｑ）を独立して変調するＩＦＦＴ４０８の入力においてルートＺＣ系列に対して、１つのサブキャリア当たり｛±π／４，±３π／４｝回転を提供する４相位相偏移キーイング（「ＱＰＳＫ」）シンボルにマッピングされる。一例では、Ｉ信号およびＱ信号がもはや独立して変調されないのであれば、おそらくより狭い間隔で｛０，π｝回転を提供する２相位相偏移キーイング（「ＢＰＳＫ」）変調を同様に用いることができる。
【００３１】
ＰＦＣＣＨシンボル２１０は、利用可能な信号帯域幅を最大限に使用するように構成されている。サブキャリアマッピングはさらに、素数長のＺＣ系列の使用を可能にするように制限される。したがって、次式になる。
【数４】
2019050609.tif 000006
【００３２】
複素系列発生部４１０の出力は、サブキャリアマッピングモジュール４１２によって、ＤＣサブキャリアのいずれかの側のＩＦＦＴ４０８の入力にマッピングされる。奇数長の系列であれば、１つの追加のサブキャリアが負の周波数にマッピングされる。これにより、正の周波数がＤＣを含む等しい数のサブキャリアが正および負の周波数にマッピングされるようになる。
【００３３】
ＩＦＦＴ４０８の出力は、チャネル遅延拡散に対応するためにＣＰモジュール４０６によって循環的に拡散される。ＣＰ長は、最大予想遅延拡散許容度を超過するように選択される。したがって、次式になる。
【数５】
2019050609.tif 000007
【００３４】
図７は、ＰＦＣＣＨ４１０シンボルコンテンツを通した、プリアンブル２０４のＰＣＣＣＨ４１２コンテンツまでの進行の一例を図示する。第１番目の送信されたＰＦＣＣＨシンボル７０８は、同期検出およびモード選択を提供する。それは、チャネル推定にも用いられる。一例では、同期検出は、ＺＣ系列の多数の規定されたルートのうちの１つ（ゼロサイクリックシフト）に対する相関に基づいている。一例では、ＰＮ変調を含む検出されたルート系列は、フレームにおいて行われるサービスタイプ／モードを決定する。例えば、サービスタイプ／モードは、ONE Media Standalone Transmission、ブロードキャスト管理交換（ＢＭＸ）の構成制御下でのONE Media Transmission、ONE Media BMX Beacon、Private Use、または別の適切なサービスタイプ／モードを含むことができる。ルート系列はさらに、別個のサービスクラス、動作モード、送信機／サービスオペレータ等を識別することも可能である。
【００３５】
一例では、チャネル推定は、レシーバにおいて、ＰＮ変調を含む検出されたルート系列のローカルコピーとの相互相関に基づいて実行される。チャネル推定は、残りのＰＣＣＣＨシンボル４１２を復号する前に、チャネル効果、特に時間分散を補償する際に用いられる。
【００３６】
初期の同期検出に続いて、すなわち第２期シンボル期間に、検出されたルート系列のサイクリックシフトがシンボル７１０に適用され、フレーム構成を伝える。一例では、観察または推定されたサイクリックシフトは、割り当てられたビットフィールドにマッピングされる。その意味は、同期検出シンボルへの近接度のなど、現在のシンボル期間に特有であり、検出されたサービスモードによって設定されたコンテキストに対して解釈される。
【００３７】
一例では、第２期シンボル期間中の解釈はさらに、先行するシンボル期間中に設定されたコンテキストに依存することもあり得る。例えば、送信機は、所与のシンボル期間中の許容可能なサイクリックシフトを細分して、別個のコンテキストを確立することにより、検出されたサービスタイプを下回る複数のレベルまでシグナリング階層を拡張することも可能である。
【００３８】
一例では、第２期シンボル期間中に信号伝達されたパラメータは、フレームカウント、フレーム持続時間、ＰＣＣＣＨだけでなくフレームペイロードで使用される信号帯域幅、ＰＣＣＣＨのＦＦＴサイズおよびＣＰ長、ＰＣＣＣＨ変調、ならびに符号化率のうちの１つまたは複数を含むことができる。
【００３９】
一例では、第２期のシンボルごとにＣＰとの遅延相関が計算され、周波数オフセット推定の精度を高め、それに対する補償が次のシンボル期間に適用される。
【００４０】
図９に図示されるように、最終のシンボル期間に送信された系列は、反転されて（すなわち１８０°回転して）ＰＦＣＣＨ４１０の終了を信号伝達している。一例では、最終のＰＦＣＣＨ４１０シンボルは、上述したようなパラメータ選択を伝えるのに必要とされるようなサイクリックシフトを含む。一例では、系列の位相を反転することにより、必要に応じてシグナリング能力を増大させるようにＰＦＣＣＨ４１０の長さを拡張可能にしつつ、次のシンボル期間のＰＣＣＣＨ４１２の開始を表示する効率的な手段がもたらされる。
【００４１】
ＰＣＣＣＨ
ＰＣＣＣＨ４１２は、端子がフレームペイロードを復号し、関心のある部分または番組を抽出するのに必要な情報を含んでいる。一例では、ＰＣＣＣＨ４１２は、フレームパーティションの数を含む。
【００４２】
一例では、ＰＣＣＣＨ４１２は、各パーティションに対して、こうしたパーティションに配分された物理リソースを含む。これは、いずれの特定のシンボルがこうしたパーティションに配分されるかだけでなく、こうしたパーティションに配分されたＯＦＤＭシンボルの数を含むことができる。別個のパーティションが互いにインターリーブされ得ることを認識されたい。ＰＣＣＣＨ４１２は、各パーティションに対してＦＦＴサイズおよびサイクリックプレフィックス長も含むことができる。一例では、ＰＣＣＣＨ４１２は、フレームのパーティションの数も含むことができる。
【００４３】
一例では、ＰＣＣＣＨ４１２は、各サービスデータストリームに対して、こうしたストリームに関連付けられたサービス、こうしたストリームに配分された物理リソース、こうしたストリームに用いられる変調、およびバイトで表したトランスポートブロックサイズを含む。
【００４４】
一例では、ＰＣＣＣＨ４１２は、送信機ＩＤ、位置／所在地情報、不連続受信等が可能になるように用いられる、補助終了シンボル（ＡＴＳ）の存在／不在を含む。
【００４５】
ＰＣＣＣＨは、従来のＯＦＤＭシンボルを用いて行われ、その帯域幅、ＦＦＴサイズ、およびＣＰ長は、ＰＦＣＣＨの一部として通信されるパラメータ設定に従って設定されることを認識されたい。
【００４６】
変調、符号化率、およびパイロット密度もＰＦＣＣＨ内で送られたパラメータに従って設定される。意図しているのは、ペイロードシンボルの信頼度をちょうど超過するようにシグナリングを供給することである。例えば、相対的に高い符号化率（すなわち最小の冗長性）で送られた、２５６−ＱＡＭのペイロードを含んでいるフレームであれば、シグナリングするために非常に低い符号化率でＱＰＳＫを使用する利点はない。その代わりに、シグナリングのためだけでなく、オーバーヘッドを最小にするためにもより高位の変調およびより高い符号化率が用いられる。
【００４７】
一例では、様々なチャネル状態に遭遇する可能性に対応するように、場合により様々なサービス配備ごとにＰＣＣＣＨのパーティショニングが導入される。様々なチャネル状態は、例えば、移動体状態か固定状態かだけでなく、同一の伝送内に移動体状態と固定状態とが混在する可能性も含むことがある。
【００４８】
図９は、パーティション９０２に分割されたＰＦＣＣＨ２１０およびＰＣＣＣＨ２１２を含む一例である、フレーム９００を図示する。歩行者速度などの低速の移動性の下での受信は、短期間の周波数全体にわたる著しい信号減衰を特徴とする平坦フェージングが厄介な問題となっている。深いフェージングが数十マイクロ秒（μｓ）続き、割り当てられた変調次数および符号化率に関係なく全シンボル期間にわたってデータ保全性を損なうおそれがある。データ損失は、データ受信だけでなくシグナリングにも影響する可能性がある。ＰＦＣＣＨ２１０は、ペイロードデータ受信要件を十分下回るＳＮＲレベルで堅牢性を提供する実質的な信号処理利得の恩恵を得ている。一方、ＰＣＣＣＨ２１２は、構成成分がフレームペイロードに近いことにより、この種のフェージングに対して等しく脆弱になっている。このため、ＰＣＣＣＨ２１２をパーティション９０２に分割することにより、様々な配備シナリオに対処するように符号化する様々な方法が可能になる。
【００４９】
一例では、ＰＦＣＣＨにおいて信号伝達されるようにパーティショニングすることにより、時間ダイバーシチが向上し、ＰＣＣＣＨ受信の信頼性が増すことを認識されたい。
【００５０】
一例では、良好なチャネル（固定チャネル／ライス（Ricean）チャネル）は、符号化、変調、および時間ダイバーシチのうちの１つの方法を用い、歩行者チャネル（ローリー（Raleigh）チャネル／平坦フェージングチャネル）であれば、符号化、変調、および時間ダイバーシチの代替法を用いることになる。
【００５１】
一例では、スケジューラが、プロビジョニングの役割を果たす。
【００５２】
一例では、符号化は、時間的に密集した、帯域の周波数の最も中心部分にわたる信号を示す。この種のシグナリングは、平坦フェージングに遭遇する可能性がほぼ存在しない固定受信に適切であり得る。別の例では、代替符号化は、帯域端に配置されたリソースを占める多数のシンボル期間にわたって信号を、場合により周波数ダイバーシチを追加するためにシンボル期間ごとに交番させて、拡散することができる。この構成は、平坦フェージングに起因して複数のシンボル期間が損なわれるおそれがある移動体受信により適切であり得る。時間および周波数ダイバーシチが追加されれば、信号回復の可能性を大幅に高めることができる。
【００５３】
２つの符号化を周波数で分ける方法であれば、両方の信号符号化を同時に、すなわち１つは移動体受信に最も適した方法で、および１つは固定受信に最も適した方法で送る可能性が存在する。一例では、固定されたシグナリング方法のコンテンツであれば、監視すべきフレームのパーティションおよび対応するペイロードシンボルの周期性など、固定レシーバに必要なコンテンツに制限されることがある。同様に、移動体のシグナリング方法のコンテンツは、移動サービスに対応するパーティションおよびシンボル期間に限定されることがある。
【００５４】
図１０は、送信デバイスを動作させるための方法の一例を図示する。ステップ１００２において、送信デバイスがインデックス値のセットからルートインデックス値を選択する。ステップ１００４において、送信デバイスは、選択されたルートインデックス値に基づいて周波数領域のＣＡＺＡＣ系列を生成する。ステップ１００６において、送信デバイスは、ＰＮ系列によってＣＡＺＡＣ系列を変調する。ステップ１００８において、送信デバイスは、ＰＮ系列によって変調されたＣＡＺＡＣ系列により定義されたＯＦＤＭシンボルを生成する。ステップ１０１０において、送信デバイスは、プリアンブルの初期ＯＦＤＭシンボルとして、ＯＦＤＭシンボルを送信する。
【００５５】
図１１は、受信デバイスを動作させるための方法の一例を図示する。ステップ１１０２において、受信デバイスが、送信機によって送信された信号のサンプルのセットを受信する。ステップ１１０４において、受信デバイスは、Ｐ−Ｎ系列によって変調された複数のＣＡＺＡＣ系列のそれぞれに対して、サンプルセットを相関させ、送信された信号のフレームのプリアンブルの初期ＯＦＤＭシンボルを検出する。ここでＣＡＺＡＣ系列は、別個のルートインデックス値にそれぞれ対応し、Ｐ−Ｎ系列は、Ｐ−Ｎシード値に基づいている。ステップ１１０６において、受信デバイスは、プリアンブルの後続するＯＦＤＭシンボルに対応するシンボルデータセットの取得を同期させる。ここで取得の同期は、複数のＣＡＺＡＣ系列の中で最大の相関応答を与える特定のＣＡＺＡＣ系列に関連付けられた相関ピークに基づいている。
【００５６】
本明細書に記載された様々な実施形態のいずれもが、例えば、コンピュータ実装型の方法として、コンピュータ可読メモリ媒体として、コンピュータシステムとしてなど、様々な形態のいずれかにおいて実現することができる。システムは、特定用途向け集積回路（ＡＳＩＣ）などの１つまたは複数の専用設計のハードウェアデバイスによって、フィールドプログラマブルゲートアレイ（ＦＰＧＡ）などの１つまたは複数のプログラマブルハードウェア要素によって、記憶されているプログラム命令を実行する１つまたは複数のプロセッサによって、または上記の任意の組み合わせによって実現することができる。
【００５７】
いくつかの実施形態では、非一時的コンピュータ可読メモリ媒体は、プログラム命令および／またはデータを記憶するように構成することができ、このプログラム命令は、コンピュータシステムによって実行された場合に、コンピュータシステムに、例えば、本明細書に記載の方法の実施形態のいずれか、または本明細書に記載の方法の実施形態の任意の組み合わせ、または本明細書に記載の方法の実施形態のいずれかの任意のサブセット、またはこのようなサブセットの任意の組み合わせである方法を実行させる。
【００５８】
いくつかの実施形態では、コンピュータシステムは、プロセッサ（またはプロセッサのセット）およびメモリ媒体を含むように構成することができ、メモリ媒体はプログラム命令を記憶し、プロセッサは、メモリ媒体からのプログラム命令を読み出して実行するように構成され、プログラム命令は、本明細書に記載の様々な方法の実施形態のいずれか（または本明細書に記載の方法の実施形態の任意の組み合わせ、または本明細書に記載の方法の実施形態のいずれかの任意のサブセット、またはこのようなサブセットの任意の組み合わせ）を実施するように実行可能である。コンピュータシステムは、様々な形態のいずれにおいても実現可能である。例えば、コンピュータシステムは、（その様々な実現形態のいずれにおいても）パーソナルコンピュータ、ワークステーション、カード上のコンピュータ、ボックス内の特定用途向けコンピュータ、サーバコンピュータ、クライアントコンピュータ、ハンドヘルドデバイス、移動体デバイス、ウェアラブルコンピュータ、感知デバイス、テレビジョン、ビデオ取得デバイス、生体埋め込み型コンピュータなどであってもよい。コンピュータシステムは、１つまたは複数のディスプレイデバイスを含んでもよい。本明細書で開示されている様々な計算結果はいずれも、ディスプレイデバイスを介して表示することができ、あるいはそうでない場合はユーザインタフェースデバイスを介して出力として表すことができる。
【００５９】
用語「含む（includes）」または「含んでいる（including）」が本明細書または請求項で使用される限りにおいて、用語「含んでいる（comprising）」は、請求項の連結詞としてこの用語が用いられる場合に解釈されるように、包括的であることが意図される。さらに、用語「または」が用いられる限りにおいて（例えば、ＡまたはＢ）、「ＡもしくはＢまたは両方」を意味することが意図される。本出願人が、「ＡもしくはＢのみであるが、両方ではない」を表示することを意図するときには、用語「ＡもしくはＢのみであるが、両方ではない」を用いることになる。したがって、本明細書における用語「または」の使用は包括的使用であり、排他的使用ではない。Bryan A. Garner, A Dictionary of Modern Legal Usage 624 (2d. Ed. 1995)を参照されたい。また、用語「〜内において」または「〜内へと」が本明細書または請求項で使用される限りにおいて、さらに「〜上において」または「〜上へと」を意味することが意図される。さらに、用語「接続する」が本明細書または請求項で使用される限りにおいて、「直接的に接続する」を意味するだけではなく、１つまたは複数の別の構成要素を介して接続されるような「間接的に接続する」も意味することが意図される。
【００６０】
本出願は、本出願の実施形態の説明によって例示されており、実施形態は、かなり詳細に説明されているが、添付の特許請求の範囲をこのような詳細内容に限定するかまたは何らかの方法で制限することは、本出願人らの意図することではない。追加の利点および修正形態は、当業者であれば容易に想到されるであろう。したがって、本出願は、その広範な態様において、特定の詳細内容に限定されず、代表的な装置および方法ならびに代表的な例が示され、説明される。したがって、本出願人の全体的な発明概念の趣旨または範囲から逸脱することなく、このような詳細内容からの逸脱を行うことができる。
【図１】
2019050609.tif 000008
【図２】
2019050609.tif 000009
【図３】
2019050609.tif 000010
【図４】
2019050609.tif 000011
【図５Ａ】
2019050609.tif 000012
【図５Ｂ】
2019050609.tif 000013
【図６】
2019050609.tif 000014
【図７】
2019050609.tif 000015
【図８】
2019050609.tif 000016
【図９】
2019050609.tif 000017
【図１０】
2019050609.tif 000018
【図１１】
2019050609.tif 000019
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
データ符号化のための方法であって、
第１の系列を用いて、第１の直交周波数分割多重（ＯＦＤＭ）シンボルを生成することと、
レシーバに前記第１のＯＦＤＭシンボルを送信することと、
前記レシーバに信号伝達される情報に基づいて、サイクリックシフトを決定することと、
前記第１の系列に前記サイクリックシフトを適用して、第２の系列を生成することと、
前記第２の系列を用いて、第２のＯＦＤＭシンボルを生成することと、
前記レシーバに前記第２のＯＦＤＭシンボルを送信することと
を含む方法。
【請求項２】
前記第１の系列が、周波数領域の定振幅零自己相関（ＣＡＺＡＣ）系列である、請求項１に記載の方法。
【請求項３】
前記ＣＡＺＡＣ系列がザドフ−チュー（ＺＣ）系列を含む、請求項２に記載の方法。
【請求項４】
ルートインデックス値のセットからルートインデックス値を選択することと、
前記選択されたルートインデックス値に基づいて、前記周波数領域のＣＡＺＡＣ系列を生成することと
をさらに含む、請求項２に記載の方法。
【請求項５】
疑似雑音（ＰＮ）系列によって前記周波数領域のＣＡＺＡＣ系列を変調して、複素系列を生成することと、
前記複素系列を複数のサブキャリアにマッピングして、前記第１のＯＦＤＭシンボルを生成することと
をさらに含む、請求項２に記載の方法。
【請求項６】
線形フィードバックシフトレジスタを用いて前記ＰＮ系列を生成すること
をさらに含む、請求項５に記載の方法。
【請求項７】
前記情報がフレーム構成情報を含む、請求項１に記載の方法。
【請求項８】
前記第１のＯＦＤＭシンボルが、通信フレームのプリアンブルの初期ＯＦＤＭシンボルに対応する、請求項７に記載の方法。
【請求項９】
前記フレーム構成情報が、前記プリアンブルの長さまたは前記通信フレームの長さを含む、請求項８に記載の方法。
【請求項１０】
前記通信フレームが、高度テレビジョン・システムズ委員会（ＡＴＳＣ）３．０通信フレームである、請求項８に記載の方法。
【請求項１１】
送信機であって、
プログラム命令を記憶するメモリと、
プロセッサであって、前記プログラム命令を実行すると、
第１の系列を用いて、第１の直交周波数分割多重（ＯＦＤＭ）シンボルを生成することと、
レシーバに前記第１のＯＦＤＭシンボルを送信することと、
前記レシーバに信号伝達される情報に基づいて、サイクリックシフトを決定することと、
前記第１の系列に前記サイクリックシフトを適用して、第２の系列を生成することと、
前記第２の系列を用いて、第２のＯＦＤＭシンボルを生成することと、
前記レシーバに前記第２のＯＦＤＭシンボルを送信することと
を行うように構成されたプロセッサと
を含む送信機。
【請求項１２】
前記第１の系列が、周波数領域の定振幅零自己相関（ＣＡＺＡＣ）系列である、請求項１１に記載の送信機。
【請求項１３】
前記ＣＡＺＡＣ系列がザドフ−チュー（ＺＣ）系列を含む、請求項１２に記載の送信機。
【請求項１４】
前記プロセッサが、前記命令を実行すると、
ルートインデックス値のセットからルートインデックス値を選択することと、
前記選択されたルートインデックス値に基づいて、前記周波数領域のＣＡＺＡＣ系列を生成することと
を行うようにさらに構成されている、請求項１２に記載の送信機。
【請求項１５】
前記プロセッサが、前記命令を実行すると、
疑似雑音（ＰＮ）系列によって前記周波数領域のＣＡＺＡＣ系列を変調して、複素系列を生成することと、
前記複素系列を複数のサブキャリアにマッピングして、前記第１のＯＦＤＭシンボルを生成することと
を行うようにさらに構成されている、請求項１２に記載の送信機。
【請求項１６】
前記プロセッサが、前記命令を実行すると、
線形フィードバックシフトレジスタを用いて前記ＰＮ系列を生成すること
を行うようにさらに構成されている、請求項１５に記載の送信機。
【請求項１７】
前記情報がフレーム構成情報を含む、請求項１１に記載の送信機。
【請求項１８】
前記第１のＯＦＤＭシンボルが、通信フレームのプリアンブルの初期ＯＦＤＭシンボルに対応する、請求項１７に記載の送信機。
【請求項１９】
前記フレーム構成情報が、前記プリアンブルの長さまたは前記通信フレームの長さを含む、請求項１８に記載の送信機。
【請求項２０】
前記通信フレームが、高度テレビジョン・システムズ委員会（ＡＴＳＣ）３．０通信フレームである、請求項１８に記載の送信機。
【請求項２１】
通信フレームのフレーム制御の終了を信号伝達するための方法であって、
前記フレーム制御の初期直交周波数分割多重（ＯＦＤＭ）シンボルを生成することと、
レシーバに前記初期ＯＦＤＭシンボルを送信することと、
前記フレーム制御の後続するＯＦＤＭシンボルを生成することと、
前記レシーバに前記後続するＯＦＤＭシンボルを送信することと
を含み、
前記後続するＯＦＤＭシンボルが前記フレーム制御の最終のＯＦＤＭシンボルに対応するときに、前記後続するＯＦＤＭシンボルに関連付けられた系列が反転され、前記通信フレームの前記フレーム制御の前記終了を前記レシーバに信号伝達する、方法。
【請求項２２】
前記通信フレームがブロードキャスト通信フレームである、請求項２１に記載の方法。
【請求項２３】
前記初期ＯＦＤＭシンボルが第１の系列を用いて生成され、前記第１の系列が周波数領域の定振幅零自己相関（ＣＡＺＡＣ）系列である、請求項２１に記載の方法。
【請求項２４】
前記ＣＡＺＡＣ系列がザドフ−チュー（ＺＣ）系列を含む、請求項２３に記載の方法。
【請求項２５】
ルートインデックス値のセットからルートインデックス値を選択することと、
前記選択されたルートインデックス値に基づいて、前記周波数領域のＣＡＺＡＣ系列を生成することと
をさらに含む、請求項２３に記載の方法。
【請求項２６】
疑似雑音（ＰＮ）系列によって前記周波数領域のＣＡＺＡＣ系列を変調して、複素系列を生成することと、
前記複素系列を複数のサブキャリアにマッピングして、前記初期ＯＦＤＭシンボルを生成することと
をさらに含む、請求項２５に記載の方法。
【請求項２７】
前記後続するＯＦＤＭシンボルが前記プリアンブルの前記最終のＯＦＤＭシンボルに対応するときに、前記後続するＯＦＤＭシンボルが、先行するＯＦＤＭシンボルに対する１８０°の位相反転を特徴とする、請求項２１に記載の方法。
【請求項２８】
前記フレーム制御が、拡張可能な数のＯＦＤＭシンボルを含む、請求項２１に記載の方法。
【請求項２９】
前記フレーム制御の一部分が、前記レシーバに既知の固定の構成を用いる、請求項２１に記載の方法。
【請求項３０】
送信機であって、
プログラム命令を記憶するメモリと、
プロセッサであって、前記プログラム命令を実行すると、
通信フレームのフレーム制御の初期直交周波数分割多重（ＯＦＤＭ）シンボルを生成することと、
レシーバに前記初期ＯＦＤＭシンボルを送信することと、
前記フレーム制御の後続するＯＦＤＭシンボルを生成することと、
前記レシーバに前記後続するＯＦＤＭシンボルを送信することと
を行うように構成されたプロセッサと
を含み、前記後続するＯＦＤＭシンボルが前記フレーム制御の最終のＯＦＤＭシンボルに対応するときに、前記後続するＯＦＤＭシンボルに関連付けられた系列が反転され、前記通信フレームの前記フレーム制御の終了を前記レシーバに信号伝達する、送信機。
【請求項３１】
前記通信フレームがブロードキャスト通信フレームである、請求項３０に記載の送信機。
【請求項３２】
前記初期ＯＦＤＭシンボルが第１の系列を用いて生成され、前記第１の系列が周波数領域の定振幅零自己相関（ＣＡＺＡＣ）系列である、請求項３０に記載の送信機。
【請求項３３】
前記ＣＡＺＡＣ系列がザドフ−チュー（ＺＣ）系列を含む、請求項３２に記載の送信機。
【請求項３４】
前記プロセッサが、前記命令を実行すると、
ルートインデックス値のセットからルートインデックス値を選択することと、
前記選択されたルートインデックス値に基づいて、前記周波数領域のＣＡＺＡＣ系列を生成することと
を行うようにさらに構成されている、請求項３２に記載の送信機。
【請求項３５】
前記プロセッサが、前記命令を実行すると、
疑似雑音（ＰＮ）系列によって前記周波数領域のＣＡＺＡＣ系列を変調して、複素系列を生成することと、
前記複素系列を複数のサブキャリアにマッピングして、前記初期ＯＦＤＭシンボルを生成することと
を行うようにさらに構成されている、請求項３４に記載の送信機。
【請求項３６】
前記後続するＯＦＤＭシンボルが前記プリアンブルの前記最終のＯＦＤＭシンボルに対応するときに、前記後続するＯＦＤＭシンボルが、先行するＯＦＤＭシンボルに対する１８０°の位相反転を特徴とする、請求項３０に記載の送信機。
【請求項３７】
前記フレーム制御が、拡張可能な数のＯＦＤＭシンボルを含む、請求項３０に記載の送信機。
【請求項３８】
前記フレーム制御の一部分が、前記レシーバに既知の固定の構成を用いる、請求項３０に記載の送信機。
【外国語明細書】
2019050609000001.pdf